【手続補正書】
【提出日】平成20年11月19日(2008.11.19)
【手続補正１】
【補正対象書類名】特許請求の範囲
【補正対象項目名】全文
【補正方法】変更
【補正の内容】
【特許請求の範囲】
【請求項１】
導電性支持体、該導電性支持体上に形成された電子輸送化合物を含む中間層、該中間層上に形成された電荷発生物質を含む電荷発生層、該電荷発生層上に形成された正孔輸送物質を含む正孔輸送層を有する電子写真感光体であって、
該中間層が、
アルキレンを主鎖に持ち、ヒドロキシアリール基を側鎖に持つ単位ユニットを含む熱可塑性樹脂、及び、
電子輸送化合物
を含む中間層用塗工液より形成された層であることを特徴とする電子写真感光体。
【請求項２】
前記ヒドロキシアリール基のアリール基がフェニル基である請求項１に記載の電子写真感光体。
【請求項３】
前記電子輸送化合物が下記式（１）〜（４）のいずれかで示される化合物である請求項１又は２に記載の電子写真感光体。
【化１】
2007148294.tif 000001
（式（１）中、Ｘ１〜Ｘ４は、それぞれ独立に、水素原子；ハロゲン基；ニトロ基；置換基を有してもよいアルコキシ基；又は置換基を有してもよいアルキル基を示す。Ｒ１及びＲ２は、それぞれ独立に、エーテル基で中断されていてもよいアルキル基；エーテル基で中断されていてもよいアルケニル基；複素環基；アルキル基、アルケニル基、ニトロ基、ハロゲン基若しくはハロゲン置換アルキル基を有してもよいアリール基若しくはアルキル基；アルケニル基、ニトロ基、ハロゲン基若しくはハロゲン置換アルキル基を有してもよいアラルキル基；アルキル基で置換されたカルボニル基；又はアルキル基で置換されたスルホニル基を示す。）
【化２】
2007148294.tif 000002
（式（２）中、Ｚ１及びＺ２は、それぞれ独立に、酸素原子；Ｃ（ＣＮ）２基；又はＮ−Ｒ基（Ｒは置換基を有してもよいアリール基若しくはアルキル基を示す。）を示す。Ｘ１１〜Ｘ１８は、それぞれ独立に、水素原子；水酸基；ハロゲン原子；ニトロ基；トリフルオロアルキル基；カルボキシル基；アミノ基；置換基を有してもよいアルコキシ基；置換基を有してもよいアルキル基；置換基を有してもよいカルボニル基；置換基を有してもよいエステル基；又は置換基を有してもよいアリール基を示す。）
【化３】
2007148294.tif 000003
（式（３）中、Ｚ１１及びＺ１２は、それぞれ独立に、酸素原子；Ｃ（ＣＮ）２基；又はＮ−Ｒ基（Ｒは置換基を有してもよいアリール基若しくはアルキル基を示す。）を示す。Ｘ２１〜Ｘ２６は、それぞれ独立に、水素原子；水酸基；ハロゲン原子；ニトロ基；トリフルオロアルキル基；カルボキシル基；アミノ基；置換基を有してもよいアルコキシ基；置換基を有してもよいアルキル基；置換基を有してもよいカルボニル基；置換基を有してもよいエステル基；又は置換基を有してもよいアリール基を示す。）
【化４】
2007148294.tif 000004
（式（４）中、Ｚ２１及びＺ２２は、それぞれ独立に、酸素原子；Ｃ（ＣＮ）２基；又はＮ−Ｒ基（Ｒは置換基を有してもよいアリール基若しくはアルキル基を示す。）を示す。Ｘ３１〜Ｘ３６は、それぞれ独立に、水素原子；水酸基；ハロゲン原子；ニトロ基；トリフルオロアルキル基；カルボキシル基；アミノ基；置換基を有してもよいアルコキシ基；置換基を有してもよいアルキル基；置換基を有してもよいカルボニル基；置換基を有してもよいエステル基；又は置換基を有してもよいアリール基を示す。）
【請求項４】
前記中間層に含まれる電子輸送化合物の含有量が中間層全体に対して３１〜７０質量％である請求項１〜３のいずれかに記載の電子写真感光体。
【請求項５】
前記中間層用塗工液がイソシアネート化合物を更に含む請求項１〜４のいずれかに記載の電子写真感光体。
【請求項６】
前記電荷発生物質がガリウムフタロシアニンである請求項１〜５のいずれかに記載の電子写真感光体。
【請求項７】
前記ガリウムフタロシアニンがヒドロキシガリウムフタロシアニンである請求項６に記載の電子写真感光体。
【請求項８】
前記正孔輸送層がポリアリレートを含有する請求項１〜７のいずれかに記載の電子写真感光体。
【請求項９】
請求項１〜８のいずれかに記載の電子写真感光体と、該電子写真感光体の表面を帯電させる帯電手段、該電子写真感光体の表面に形成された静電潜像をトナーで現像して該電子写真感光体の表面にトナー像を形成する現像手段、及び、該電子写真感光体の表面の転写残りトナーを除去するクリーニング手段からなる群より選ばれる少なくとも１つの手段とを一体に支持し、電子写真装置本体に着脱自在であることを特徴とするプロセスカートリッジ。
【請求項１０】
請求項１〜８のいずれかに記載の電子写真感光体、該電子写真感光体の表面を帯電させる帯電手段、帯電した電子写真感光体の表面に対して露光を行って該電子写真感光体の表面に静電潜像を形成する露光手段、該電子写真感光体の表面に形成された静電潜像をトナーで現像して該電子写真感光体の表面にトナー像を形成する現像手段、及び、該電子写真感光体の表面に形成されたトナー像を転写材に転写する転写手段を備えることを特徴とする電子写真装置。
【手続補正２】
【補正対象書類名】明細書
【補正対象項目名】００１０
【補正方法】変更
【補正の内容】
【００１０】
本発明に従って、導電性支持体、該導電性支持体上に形成された電子輸送化合物を含む中間層、該中間層上に形成された電荷発生物質を含む電荷発生層、該電荷発生層上に形成された正孔輸送物質を含む正孔輸送層を有する電子写真感光体であって、
該中間層が、
アルキレンを主鎖に持ち、ヒドロキシアリール基を側鎖に持つ単位ユニットを含む熱可塑性樹脂、及び、
電子輸送化合物
を含む中間層用塗工液より形成された層であることを特徴とする電子写真感光体が提供される。
【手続補正３】
【補正対象書類名】明細書
【補正対象項目名】００２１
【補正方法】変更
【補正の内容】
【００２１】
本発明に用いられる中間層は、少なくともアルキレンを主鎖に持ち、ヒドロキシアリール基を側鎖に持つ単位ユニットを含む熱可塑性樹脂及び電子輸送化合物を含む中間層用塗工液より形成される。電子輸送化合物は、サイクリックボルタンメトリーの還元電位測定において還元及び酸化ピークが観測されるものであり、より好ましくは両ピーク電流値が同等なものがよい。また、電子輸送化合物は特に下記式（１）〜（４）に示される構造の化合物が好ましい。
【手続補正４】
【補正対象書類名】明細書
【補正対象項目名】００２３
【補正方法】変更
【補正の内容】
【００２３】
式（１）中、Ｘ１〜Ｘ４は、それぞれ独立に、水素原子；ハロゲン基；ニトロ基；置換基を有してもよいアルコキシ基；又は置換基を有してもよいアルキル基を示す。Ｒ１及びＲ２は、それぞれ独立に、エーテル基で中断されていてもよいアルキル基；エーテル基で中断されていてもよいアルケニル基；複素環基；アルキル基、アルケニル基、ニトロ基、ハロゲン基若しくはハロゲン置換アルキル基を有してもよいアリール基若しくはアルキル基；アルケニル基、ニトロ基、ハロゲン基若しくはハロゲン置換アルキル基を有してもよいアラルキル基；アルキル基で置換されたカルボニル基；又はアルキル基で置換されたスルホニル基を示す。
【手続補正５】
【補正対象書類名】明細書
【補正対象項目名】００２５
【補正方法】変更
【補正の内容】
【００２５】
式（２）中、Ｚ１及びＺ２は、それぞれ独立に、酸素原子；Ｃ（ＣＮ）２基；又はＮ−Ｒ基（Ｒは置換基を有してもよいアリール基若しくはアルキル基を示す。）を示す。Ｘ１１〜Ｘ１８は、それぞれ独立に、水素原子；水酸基；ハロゲン原子；ニトロ基；トリフルオロアルキル基；カルボキシル基；アミノ基；置換基を有してもよいアルコキシ基；置換基を有してもよいアルキル基；置換基を有してもよいカルボニル基；置換基を有してもよいエステル基；又は置換基を有してもよいアリール基を示す。
【手続補正６】
【補正対象書類名】明細書
【補正対象項目名】００２７
【補正方法】変更
【補正の内容】
【００２７】
式（３）中、Ｚ１１及びＺ１２は、それぞれ独立に、酸素原子；Ｃ（ＣＮ）２基；又はＮ−Ｒ基（Ｒは置換基を有してもよいアリール基若しくはアルキル基を示す。）を示す。Ｘ２１〜Ｘ２６は、それぞれ独立に、水素原子；水酸基；ハロゲン原子；ニトロ基；トリフルオロアルキル基；カルボキシル基；アミノ基；置換基を有してもよいアルコキシ基；置換基を有してもよいアルキル基；置換基を有してもよいカルボニル基；置換基を有してもよいエステル基；又は置換基を有してもよいアリール基を示す。
【手続補正７】
【補正対象書類名】明細書
【補正対象項目名】００２９
【補正方法】変更
【補正の内容】
【００２９】
式（４）中、Ｚ２１及びＺ２２は、それぞれ独立に、酸素原子；Ｃ（ＣＮ）２基；又はＮ−Ｒ基（Ｒは置換基を有してもよいアリール基若しくはアルキル基を示す。）を示す。Ｘ３１〜Ｘ３６は、それぞれ独立に、水素原子；水酸基；ハロゲン原子；ニトロ基；トリフルオロアルキル基；カルボキシル基；アミノ基；置換基を有してもよいアルコキシ基；置換基を有してもよいアルキル基；置換基を有してもよいカルボニル基；置換基を有してもよいエステル基；又は置換基を有してもよいアリール基を示す。
【手続補正８】
【補正対象書類名】明細書
【補正対象項目名】０１２７
【補正方法】変更
【補正の内容】
【０１２７】
（比較例１）
中間層用塗工液として例示化合物Ｅ１−８を用いず、ポリ（ｐ−ヒドロキシスチレン）を１０部に変えた以外は、実施例１と同様にして電子写真感光体を作製し同様な評価を行った。